(57)【要約】【課題】タッチ検出精度の向上を図る。【解決手段】ストライプ状の複数の駆動電極が配列方向に並んで配置された駆動電極層と、駆動電極と対向して配置され、駆動電極との間に静電容量を形成するタッチ検出電極と、駆動電極にタッチ用駆動信号を印加し、タッチ検出電極からの検出信号に基づき、駆動電極及びタッチ検出電極を備えるタッチ検出領域に近接する物体の位置を検出するタッチ検出部と、を備え、駆動電極層は、配列方向の少なくとも一方の端に配置された端部駆動電極の配列方向の幅が、端部駆動電極以外の駆動電極の配列方向の幅よりも大きい。【選択図】図１３
2014134982.tif 000002
【特許請求の範囲】
【請求項１】
ストライプ状の複数の駆動電極が配列方向に並んで配置された駆動電極層と、
前記駆動電極と対向して配置され、前記駆動電極との間に静電容量を形成するタッチ検出電極と、
前記駆動電極にタッチ用駆動信号を印加し、前記タッチ検出電極からの検出信号に基づき、前記駆動電極及び前記タッチ検出電極を備えるタッチ検出領域に近接する物体の位置を検出するタッチ検出部と、を備え、
前記駆動電極層は、前記配列方向の少なくとも一方の端に配置された端部駆動電極の前記配列方向の幅が、前記端部駆動電極以外の駆動電極の前記配列方向の幅よりも大きいタッチ検出装置。
【請求項２】
前記駆動電極層は、前記配列方向の中心を軸として、複数の駆動電極が対称となる請求項１に記載のタッチ検出装置。
【請求項３】
請求項１または２に記載のタッチ検出装置と、
前記タッチ検出装置に積層して配置された表示装置と、を有するタッチ検出機能付き表示装置。
【請求項４】
前記表示装置は、前記タッチ検出装置の前記駆動電極層に対向して、基板上に配置された複数の画素電極と、
前記画素電極に積層され、画像を表示する画像表示機能を有する表示機能層と、
画像信号に基づいて、前記画素電極と前記駆動電極との間に表示用駆動電圧を印加して前記表示機能層の画像表示機能を発揮させるように画像表示制御を行う制御部と、を有する請求項３に記載のタッチ検出機能付き表示装置。
【請求項５】
前記駆動電極層は、前記配列方向において、前記端部駆動電極が、前記端部駆動電極以外の駆動電極よりも前記表示領域の画素電極の配置間隔である画素ピッチの整数倍分大きい請求項３または４に記載のタッチ検出機能付き表示装置。
【請求項６】
前記端部駆動電極は、前記配列方向において、一部が前記表示領域よりも外側に配置されている請求項３から５のいずれか一項に記載のタッチ検出機能付き表示装置。
【請求項７】
請求項６に記載のタッチ検出器能付き表示装置を備える電子機器。
【発明の詳細な説明】
【技術分野】
【０００１】
本開示は、外部近接物体を検出可能なタッチ検出装置及びこれを備えるタッチ検出表示装置及び電子機器に関する。
【背景技術】
【０００２】
近年、指、スタイラスペン等の外部近接物体による近接操作を検出するタッチ検出装置を備えるタッチ検出機能付き表示装置が知られている。このタッチ検出機能付き表示装置は、タッチパネルと呼ばれており、タッチ検出部を液晶表示装置等の表示装置上に設ける方式に加え、タッチ検出部を液晶表示装置等の表示装置と一体で設ける方式がある。
【０００３】
タッチ検出装置の検出方式としては、光学式、抵抗式、静電容量式等、いくつかの検出方式が知られている。このうち、静電容量式のタッチ検出装置は、比較的単純な構造で形成でき、低消費電力での駆動が可能となっている。このようなタッチ検出装置を備えるタッチ検出機能付き表示装置は、各種のボタン画像等を表示させた表示装置をユーザが外部近接物体で近接操作することで、通常の機械式ボタンと同様に、タッチ検出部を介して所望の情報の入力操作が可能となっている。また、キーボード装置、マウス装置、キーパッド等の表示装置に外部接続されて設けられる入力装置とは異なり、表示装置と略一体的に設けることができる。このため、例えば携帯電話機、テレビジョン受像機、デジタルカメラ装置、ノート型のパーソナルコンピュータ装置等の様々な電子機器に設けられている。
【０００４】
静電容量式のタッチ検出装置は、第１配線と第２配線とを積層させ、いずれか一方の配線（駆動電極）に電圧を印加し、他方の配線（タッチ検出電極）で検出信号を検出する（特許文献１参照）。静電容量式のタッチ検出装置は、駆動電極とタッチ検出電極とで検出する検出領域に外部近接物体が近接しているとタッチ検出で検出する信号の値が変化する。静電容量式のタッチ検出装置は、当該変化に基づいて、外部近接物体の近接を検出する。また、特許文献１には、駆動電極の端部のパッド部の幅を位置によって変化させることが記載されている。
【先行技術文献】
【特許文献】
【０００５】
【特許文献１】特開２０１２−４３２９８号公報
【発明の概要】
【発明が解決しようとする課題】
【０００６】
タッチ検出装置は、複数の駆動電極が所定の方向（配列方向）に隣接して配置されている。つまり、タッチ検出装置は、複数の駆動電極が配列方向に並んで配置されている。タッチ検出装置は、タッチを検出する場合、電圧を印加する駆動電極を時分割で切り換え、それぞれの検出タイミングにおいてタッチ検出電極で信号を検出する。これにより、当該駆動電極が配置されている領域においてタッチが行われている場合、タッチ位置の近傍で当該駆動電極と重なっているタッチ検出電極での信号が変化した状態で検出される。タッチ検出装置は、この信号の変化でタッチ位置を検出する。タッチ検出装置は、隣接する駆動電極に電圧を印加したときに検出した信号、つまり隣接した位置で検出した信号に基づいて、タッチ位置の補間処理を行うことで、駆動電極の配置密度よりもより細かい分解能でタッチ位置を検出する。
【０００７】
タッチ検出装置は、配列方向の端部にある駆動電極は、配列方向の一方に駆動電極が配置されていない。このため、配列方向の端部にある駆動電極に電圧を印加した検出タイミングで検出した信号は、配列方向の他方の配置された駆動電極に電圧を印加した検出タイミングで検出した信号のみで補間処理を行うため、他の位置に比べて補間処理の精度が低下してしまう。
【０００８】
本開示は、上述の課題に鑑みてなされたものであり、タッチの検出精度を高くすることができるタッチ検出装置、これを備える表示装置及び電子機器の提供を目的とする。
【課題を解決するための手段】
【０００９】
本開示に係るタッチ検出装置は、ストライプ状の複数の駆動電極が配列方向に並んで配置された駆動電極層と、前記駆動電極と対向して配置され、前記駆動電極との間に静電容量を形成するタッチ検出電極と、前記駆動電極にタッチ用駆動信号を印加し、前記タッチ検出電極からの検出信号に基づき、前記駆動電極及び前記タッチ検出電極を備えるタッチ検出領域に近接する物体の位置を検出するタッチ検出部と、を備え、前記駆動電極層は、前記配列方向の少なくとも一方の端に配置された端部駆動電極の前記配列方向の幅が、前記端部駆動電極以外の駆動電極の前記配列方向の幅よりも大きいタッチ検出装置である。
【００１０】
本開示に係るタッチ検出機能付き表示装置は、上記に記載のタッチ検出装置と、前記タッチ検出装置に積層して配置された表示装置と、を有するタッチ検出機能付き表示装置である。
【００１１】
本開示に係る電子機器は、上記に記載のタッチ検出機能付き表示装置を備える電子機器である。
【００１２】
このような本開示は、複数の駆動電極のうち、配列方向の端の駆動電極の配列方向における大きさを、他の駆動電極よりも大きくすることで、端の駆動電極でのタッチ検出信号のレベルを大きくすることができる。これにより、駆動電極の配列方向の端に配置された駆動電極に対応する領域でのタッチの検出精度を向上させることができる。
【発明の効果】
【００１３】
本開示は、駆動電極の配列方向の端に配置された駆動電極に対応する領域でのタッチの検出精度を向上させることができ、端部における検出精度の低下を抑制することができる。これにより、タッチの検出精度を高くすることができる。
【図面の簡単な説明】
【００１４】
【図１】図１は、実施形態１に係るタッチ検出機能付き表示装置の一構成例を表すブロック図である。
【図２】図２は、静電容量型タッチ検出方式の基本原理を説明するため、指が接触または近接していない状態を表す説明図である。
【図３】図３は、図２に示す指が接触または近接していない状態の等価回路の例を示す説明図である。
【図４】図４は、静電容量型タッチ検出方式の基本原理を説明するため、指が接触または近接した状態を表す説明図である。
【図５】図５は、図４に示す指が接触または近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示デバイスの概略断面構造を表す断面図である。
【図１０】図１０は、実施形態１に係るタッチ検出機能付き表示デバイスの画素配列を表す回路図である。
【図１１】図１１は、実施形態１に係るタッチ検出機能付き表示デバイスの駆動電極及びタッチ検出電極の一構成例を表す斜視図である。
【図１２】図１２は、実施形態１に係るタッチ検出機能付き表示装置の一動作例を表すタイミング波形図である。
【図１３】図１３は、実施形態１に係るタッチ検出機能付き表示装置の駆動電極層と画素との関係を示す平面図である。
【図１４】図１４は、実施形態１に係るタッチ検出機能付き表示装置の配列方向の端に配置された駆動電極とタッチ検出電極との間の電気力線を模式的に示す図である。
【図１５】図１５は、実施形態１に係るタッチ検出機能付き表示装置の配列方向の中腹に配置された駆動電極とタッチ検出電極との間の電気力線を模式的に示す図である。
【図１６Ａ】図１６Ａは、実施形態１に係るタッチ検出機能付き表示装置のタッチ位置と駆動電極との相対位置を模式的に示す図である。
【図１６Ｂ】図１６Ｂは、図１６Ａに示すタッチ検出機能付き表示装置のタッチ検出電極で検出したタッチ検出信号の一例を示す図である。
【図１７Ａ】図１７Ａは、比較例に係るタッチ検出機能付き表示装置のタッチ位置と駆動電極との相対位置を模式的に示す図である。
【図１７Ｂ】図１７Ｂは、図１７Ａに示すタッチ検出機能付き表示装置のタッチ検出電極で検出したタッチ検出信号の一例を示す図である。
【図１８】図１８は、実施形態２に係るタッチ検出機能付き表示装置の駆動電極層と画素との関係を示す平面図である。
【図１９】図１９は、本実施形態に係るタッチ検出機能付き表示装置を適用する電子機器の一例を示す図である。
【図２０】図２０は、本実施形態に係るタッチ検出機能付き表示装置を適用する電子機器の一例を示す図である。
【図２１】図２１は、本実施形態に係るタッチ検出機能付き表示装置を適用する電子機器の一例を示す図である。
【図２２】図２２は、本実施形態に係るタッチ検出機能付き表示装置を適用する電子機器の一例を示す図である。
【図２３】図２３は、本実施形態に係るタッチ検出機能付き表示装置を適用する電子機器の一例を示す図である。
【図２４】図２４は、本実施形態に係るタッチ検出機能付き表示装置を適用する電子機器の一例を示す図である。
【図２５】図２５は、本実施形態に係るタッチ検出機能付き表示装置を適用する電子機器の一例を示す図である。
【発明を実施するための形態】
【００１５】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
２．適用例（電子機器）
前記実施形態に係るタッチ検出機能付き表示装置が電子機器に適用されている例
３．本開示の構成
【００１６】
＜１−１．実施形態１＞
［構成例］
（全体構成例）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス（表示装置）２０と静電容量型のタッチ検出デバイス（タッチ検出装置）３０とを一体化した、いわゆるインセルタイプの装置である。なお、タッチ検出機能付き表示デバイス１０は、表示素子として液晶表示素子を用いている液晶表示デバイス２０の上に、静電容量型のタッチ検出デバイス３０を装着した、いわゆるオンセルタイプの装置であってもよい。
【００１７】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１８】
ゲートドライバ１２は、制御部１１から供給される制御信号に基づいて、タッチ検出機能付き表示デバイス１０の表示駆動の対象となる１水平ラインを順次選択する機能を有している。
【００１９】
ソースドライバ１３は、制御部１１から供給される制御信号に基づいて、タッチ検出機能付き表示デバイス１０の、後述する各画素Ｐｉｘ（副画素ＳＰｉｘ）に画素信号Ｖｐｉｘを供給する回路である。ソースドライバ１３は、１水平ライン分の映像信号から、液晶表示デバイス２０の複数の副画素ＳＰｉｘの画素信号Ｖｐｉｘを時分割多重化した画素信号を生成する。
【００２０】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００２１】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、静電容量型タッチ検出方式の基本原理を説明するため、指が接触または近接した状態を表す説明図である。図５は、図４に示す指が接触または近接した状態の等価回路の例を示す説明図である。
【００２２】
例えば、図２及び図４に示すように、容量素子Ｃ１は、誘電体Ｄを挟んで互いに対向配置された一対の電極、駆動電極Ｅ１及びタッチ検出電極Ｅ２を備えている。図３及び図５に示すように、容量素子Ｃ１は、その一端が交流信号源（駆動信号源）Ｓに接続され、他端Ｐは抵抗Ｒを介して接地されると共に、電圧検出器（タッチ検出部）ＤＥＴに接続される。
【００２３】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端Ｐ）に、出力波形（タッチ検出信号Ｖｄｅｔ）が現れる。なお、この交流矩形波Ｓｇは、後述するタッチ駆動信号Ｖｃｏｍｔに相当するものである。
【００２４】
指が接触（または近接）していない状態（非接触状態）では、図２及び図３に示すように、容量素子Ｃ１に対する充放電に伴って、容量素子Ｃ１の容量値に応じた電流Ｉ０が流れる。このときの容量素子Ｃ１の他端Ｐの電位波形は、例えば図６に示す波形Ｖ０のようになり、図３に示す電圧検出器ＤＥＴは、波形Ｖ０を検出する。
【００２５】
一方、指が接触（または近接）した状態（接触状態）では、図４に示すように、指によって形成される静電容量があたかも容量素子Ｃ２として容量素子Ｃ１に付加するように作用する。そして、図５に示す等価回路でみると、容量素子Ｃ２は容量素子Ｃ１に直列に追加された形となる。この状態では、容量素子Ｃ１、Ｃ２に対する充放電に伴って、容量素子Ｃ１、Ｃ２に電流Ｉ１、Ｉ２が流れる。このときの容量素子Ｃ１の他端Ｐの電位波形は、例えば図６の波形Ｖ１のようになり、電圧検出器ＤＥＴは、波形Ｖ１を検出する。このとき、他端Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖｔｈと比較し、このしきい値電圧以上であれば非接触状態と判断する一方、しきい値電圧Ｖｔｈ未満であれば接触状態と判断する。このようにして、タッチ検出が可能となる。
【００２６】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２７】
タッチ検出デバイス３０は、複数の後述するタッチ検出電極ＴＤＬから、検出ブロックごとにタッチ検出信号Ｖｄｅｔを出力し、タッチ検出部４０に供給するようになっている。
【００２８】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（上述した接触状態）の有無を検出し、タッチがある場合においてタッチ検出領域におけるその座標などを求める回路である。このタッチ検出部４０はアナログＬＰＦ（Ｌｏｗ  Ｐａｓｓ  Ｆｉｌｔｅｒ）部４２と、Ａ／Ｄ変換部４３と、信号処理部４４と、座標抽出部４５と、検出タイミング制御部４６とを備えている。
【００２９】
アナログＬＰＦ部４２は、タッチ検出デバイス３０から供給されたタッチ検出信号Ｖｄｅｔを入力とし、タッチ検出信号Ｖｄｅｔに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。
【００３０】
Ａ／Ｄ変換部４３は、駆動信号Ｖｃｏｍに同期したタイミングで、アナログＬＰＦ部４２から出力されるアナログ信号をそれぞれサンプリングしてデジタル信号に変換する回路である。
【００３１】
信号処理部４４は、Ａ／Ｄ変換部４３の出力信号に含まれる、タッチ駆動信号Ｖｃｏｍｔをサンプリングした周波数よりも高い周波数成分（ノイズ成分）を除去し、タッチ成分を取り出すデジタルフィルタを備えている。信号処理部４４は、Ａ／Ｄ変換部４３の出力信号に基づいて、タッチ検出デバイス３０に対するタッチの有無を検出する論理回路である。
【００３２】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。
【００３３】
（モジュール）
図７及び図８は、タッチ検出機能付き表示装置を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を形成してもよい。
【００３４】
図７に示すように、タッチ検出機能付き表示装置１は、タッチ検出機能付き表示デバイス１０と、駆動電極ドライバ１４と、ＣＯＧ（Chip  On  Glass）１９Ａとを有している。タッチ検出機能付き表示デバイス１０は、いわゆるランドスケープ型（横長）のものである。このタッチ検出機能付き表示デバイス１０は、後述するＴＦＴ基板の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示デバイス１０の短辺方向に形成されており、タッチ検出電極ＴＤＬは、タッチ検出機能付き表示デバイス１０の長辺方向に形成されている。タッチ検出機能付き表示デバイス１０は、複数の駆動電極ＣＯＭＬが長辺方向に、列状に配置されている。複数の駆動電極ＣＯＭＬが並んでいる方向、つまりタッチ検出機能付き表示デバイス１０の長辺方向を配列方向とする。つまり、タッチ検出機能付き表示デバイス１０は、複数の駆動電極ＣＯＭＬが配列方向に並んで配置されている。ここで、配列方向は、駆動電極ＣＯＭＬの短手方向となる。つまり、駆動電極ＣＯＭＬと隣接する駆動電極ＣＯＭＬとが、長辺同士が隣接している。タッチ検出機能付き表示デバイス１０は、複数の駆動電極ＣＯＭＬが同一平面上に配置されている。タッチ検出機能付き表示デバイス１０は、複数の駆動電極ＣＯＭＬが配置されている領域が駆動電極層となる。タッチ検出機能付き表示デバイス１０は、複数のタッチ検出電極ＴＤＬが短辺方向に、列状に配置されている。タッチ検出機能付き表示デバイス１０は、複数のタッチ検出電極ＴＤＬが同一平面上に配置されている。タッチ検出機能付き表示デバイス１０は、複数のタッチ検出電極ＴＤＬが配置されている領域がタッチ検出電極層となる。駆動電極層とタッチ検出電極層は、少なくとも画像を表示する領域の全域に配置されている。タッチ検出電極ＴＤＬの出力は、タッチ検出機能付き表示デバイス１０の短辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、タッチ検出機能付き表示装置１は、ＣＯＧ（Chip  On  Glass）１９Ｂに駆動電極ドライバ１４を内蔵してもよい。
【００３５】
図８に示すように、タッチ検出機能付き表示装置１は、モジュールはＣＯＧ１９Ｂを有している。図８に示すＣＯＧ１９Ｂは、上述した表示動作に必要な各回路に加え、駆動電極ドライバ１４をさらに内蔵したものである。タッチ検出機能付き表示装置１は、後述するように、表示動作の際に、１水平ラインずつ線順次走査を行う。つまり、タッチ検出機能付き表示装置１は、表示走査を、タッチ検出機能付き表示デバイス１０の短辺方向と平行に行う。一方、タッチ検出機能付き表示装置１は、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１は、タッチ検出走査を、タッチ検出機能付き表示デバイス１０の長辺方向と平行に行う。
【００３６】
このように、図７及び図８に示すタッチ検出機能付き表示装置１は、タッチ検出信号Ｖｄｅｔを、タッチ検出機能付き表示デバイス１０の短辺側から出力する。これにより、タッチ検出機能付き表示装置１は、タッチ検出電極ＴＤＬの本数を少なくすることができ、端子部Ｔを介してタッチ検出部４０に接続する際の配線の引き回しが容易になる。図８に示すタッチ検出機能付き表示装置１は、ＣＯＧ１９Ｂに駆動電極ドライバ１４を内蔵しているので、額縁を狭くすることができる。
【００３７】
（タッチ検出機能付き表示デバイス１０）
次に、タッチ検出機能付き表示デバイス１０の構成例を詳細に説明する。
【００３８】
図９は、実施形態１に係るタッチ検出機能付き表示デバイスの概略断面構造を表す断面図である。図１０は、実施形態１に係るタッチ検出機能付き表示デバイスの画素配列を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３９】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin Film Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画像信号を供給する。図１０に示す液晶表示デバイス２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００４０】
副画素ＳＰｉｘは、走査信号線ＧＣＬにより、液晶表示デバイス２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが一本の駆動電極ＣＯＭＬを共有するようになっている。
【００４１】
図１に示すゲートドライバ１２は、走査信号Ｖｓｃａｎを、図１０に示す走査信号線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３は、画素信号Ｖｐｉｘを、図１０に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図９及び図１０に示す、１水平ラインに対応する駆動電極ＣＯＭＬを駆動する。
【００４２】
上述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する画素Ｐｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００４３】
対向基板３は、ガラス基板３１と、このガラス基板３１の一方の面に形成されたカラーフィルタ３２と、を含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４４】
カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、ＣＯＧ１９と対向しており、ＴＦＴ基板２１の表面と垂直な方向にみて重なり合う。
カラーフィルタ３２は、例えば赤（Ｒ）、緑（Ｇ）、青（Ｂ）の３色に着色されたカラーフィルタを周期的に配列して、上述した図１０に示す各副画素ＳＰｉｘに赤（Ｒ）、緑（Ｇ）、青（Ｂ）の３色に着色された色領域３２Ｒ、３２Ｇ、３２Ｂに対応付けられると共に、１組として画素Ｐｉｘに対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００４５】
本実施形態に係る駆動電極ＣＯＭＬは、液晶表示デバイス２０の共通電極（共通駆動電極）として機能するとともに、タッチ検出デバイス３０の駆動電極としても機能する。本実施形態では、一つの駆動電極ＣＯＭＬが複数水平ライン分の画素電極２２（複数行を構成する画素電極２２）に対応するように配置されている。絶縁層２４は、画素電極２２と駆動電極ＣＯＭＬとを絶縁するとともに、画素電極２２とＴＦＴ基板２１の表面に形成された画素信号線ＳＧＬとを絶縁する。駆動電極ＣＯＭＬは、ＴＦＴ基板２１の表面に対する垂直方向において、画素電極２２に対向し、上述した走査信号線ＣＧＬが延在する方向と平行な方向に延在している。駆動電極ＣＯＭＬは、図示しない導電性を有するコンタクト導電柱を介して、駆動電極ドライバ１４から駆動電極ＣＯＭＬに交流矩形波形の駆動信号Ｖｃｏｍが印加されるようになっている。
【００４６】
液晶層６は、電界の状態に応じてそこを通過する光を変調するものであり、例えば、ＦＦＳ（フリンジフィールドスイッチング）またはＩＰＳ（インプレーンスイッチング）等の横電界モードの液晶を用いた液晶表示デバイスが用いられる。なお、図９に示す液晶層６と画素基板２との間、及び液晶層６と対向基板３との間には、それぞれ配向膜が配設されてもよい。
【００４７】
なお、液晶層６と画素基板２との間、及び液晶層６と対向基板３との間には、それぞれ配向膜が配設され、また、画素基板２の下面側には入射側偏光板が配置されてもよい。
【００４８】
図１１は、実施形態１に係るタッチ検出機能付き表示デバイスの駆動電極及びタッチ検出電極の一構成例を表す斜視図である。タッチ検出デバイス３０は、対向基板３に設けられた、駆動電極ＣＯＭＬ及びタッチ検出電極ＴＤＬにより構成されている。駆動電極ＣＯＭＬは、上述したように、図の左右方向に延在してストライプ状の形状（電極パターン）で配置されている。タッチ検出デバイス３０は、上述したように、複数の駆動電極ＣＯＭＬが図の上下方向に隣接するように列状に配置されている。タッチ検出デバイス３０は、列状に配置した駆動電極ＣＯＭＬがタッチを検出する領域を複数に分割している。タッチ検出動作を行う際は、各駆動電極ＣＯＭＬには、駆動電極ドライバ１４によって駆動信号Ｖｃｏｍが順次供給され、後述するように時分割的に線順次走査駆動が行われるようになっている。タッチ検出電極ＴＤＬは、駆動電極ＣＯＭＬの延在方向と交差する方向に延在してストライプ状の形状（電極パターン）で配置されている。タッチ検出デバイス３０は、上述したように、複数のタッチ検出電極ＴＤＬが図の左右方向に隣接するように列状に配置されている。タッチ検出デバイス３０は、列状に配置したタッチ検出電極ＴＤＬがタッチを検出する領域を複数に分割している。そして、タッチ検出電極ＴＤＬは、ＴＦＴ基板２１の表面と垂直な方向において、駆動電極ＣＯＭＬと対向している。タッチ検出電極ＴＤＬは、タッチ検出部４０のアナログＬＰＦ部４２の入力にそれぞれ接続されている。駆動電極ＣＯＭＬとタッチ検出電極ＴＤＬにより互いに交差した電極パターンは、その交差部分に静電容量を生じさせている。
【００４９】
この構成により、タッチ検出デバイス３０では、タッチ検出動作を行う際、駆動電極ドライバ１４が駆動電極ＣＯＭＬとして時分割的に線順次走査するように駆動することにより、列状に配置された複数の駆動電極ＣＯＭＬが順次選択され、タッチ検出電極ＴＤＬからタッチ検出信号Ｖｄｅｔを出力することにより、１つの駆動電極ＣＯＭＬにおけるタッチ検出が行われるようになっている。つまり、駆動電極ＣＯＭＬは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１１に示すように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００５０】
ここで、ＴＦＴ基板２１は、本開示における「基板」の一具体例に対応する。画素電極２２は、本開示における「画素電極」の一具体例に対応する。画素信号線ＳＧＬは、本開示における「信号線」の一具体例に対応する。駆動電極ＣＯＭＬは、本開示における「駆動電極」の一具体例に対応する。液晶素子ＬＣは、本開示における「表示機能層」の一具体例に対応する。ソースドライバ１３及び駆動電極ドライバ１４は、本開示における「走査駆動部」の一具体例に対応する。タッチ検出部４０は、本開示における「検出処理部」の一具体例に対応する。タッチ検出電極ＴＤＬは、本開示における「タッチ検出電極」に対応する。カラーフィルタ３２は、本開示における「カラーフィルタ」に対応する。
【００５１】
［動作及び作用］
続いて、実施形態１のタッチ検出機能付き表示装置１の動作及び作用について説明する。
【００５２】
駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出動作期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出動作期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００５３】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００５４】
駆動電極ドライバ１４は、表示期間Ｂでは、１水平ラインに係る駆動電極に表示駆動信号Ｖｃｏｍｄを印加し、タッチ検出動作期間Ａでは、タッチ検出動作に係る駆動電極に対して表示駆動信号Ｖｃｏｍｄよりも周波数の高いタッチ駆動信号Ｖｃｏｍｔを順次印加し、駆動電極を順次選択する。タッチ検出機能付き表示デバイス１０は、表示期間Ｂにおいて、ゲートドライバ１２、ソースドライバ１３、及び駆動電極ドライバ１４により供給された信号に基づいて表示動作を行う。タッチ検出機能付き表示デバイス１０は、タッチ検出動作期間Ａにおいて、駆動電極ドライバ１４により供給された信号に基づいてタッチ検出動作を行い、タッチ検出電極ＴＤＬからタッチ検出信号Ｖｄｅｔを出力する。アナログＬＰＦ部４２は、タッチ検出信号Ｖｄｅｔを増幅して出力する。Ａ／Ｄ変換部４３は、タッチ駆動信号Ｖｃｏｍｔに同期したタイミングで、アナログＬＰＦ部４２から出力されるアナログ信号をデジダル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求め、出力信号Ｖｏｕｔを出力する。制御部１１は、検出タイミング制御部４６を制御して、タッチ駆動信号Ｖｃｏｍｔのサンプリング周波数を変更する。
【００５５】
（詳細動作）
次に、タッチ検出機能付き表示装置１の詳細動作を説明する。図１２は、実施形態１に係るタッチ検出機能付き表示装置の一動作例を表すタイミング波形図である。図１２に示すように、液晶表示デバイス２０は、ゲートドライバ１２から供給される走査信号Ｖｓｃａｎに従って、走査信号線ＧＣＬのうちの、隣接する（ｎ−１）行目、ｎ行目、（ｎ＋１）行目の走査信号線ＧＣＬの１水平ラインずつを順次走査して表示を行う。同様に、駆動電極ドライバ１４は、制御部１１から供給される制御信号に基づいて、タッチ検出機能付き表示デバイス１０の、複数の駆動電極ＣＯＭＬのうちの、走査する水平ラインに対応する隣接する（ｍ−１）列目、ｍ列目、（ｍ＋１）列目への駆動信号に対応する所定の駆動電極ＣＯＭＬに所定の電圧を供給する。
【００５６】
このように、タッチ検出機能付き表示装置１では、１表示水平期間１Ｈごとに、タッチ検出動作（タッチ検出期間Ａ）と表示動作（表示期間Ｂ）を時分割的に行う。タッチ検出動作では、１表示水平期間１Ｈごとに、異なる駆動電極ＣＯＭＬを選択して駆動信号Ｖｃｏｍを印加することにより、タッチ検出の走査を行う。以下に、その動作を詳細に説明する。
【００５７】
まず、ゲートドライバ１２が、（ｎ−１）行目の走査信号線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００５８】
次に、タッチ検出期間Ａにおいて、駆動電極ドライバ１４が、（ｍ−１）列目に対応する駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１では、１検出ライン（１つの駆動電極ＣＯＭＬに対応する領域）のタッチ検出が行われる。
【００５９】
次に、表示期間Ｂにおいて、ソースドライバ１３が、画素信号線ＳＧＬに対して画素信号Ｖｐｉｘを印加し、１水平ラインに対する表示を行う。なお、図１２に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査信号線ＧＣＬの走査信号Ｖｓｃａｎ（ｎ−１）を高レベルから低レベルに変化させ、１表示水平期間１Ｈが終了する。
【００６０】
次に、ゲートドライバ１２は、先ほどとは異なるｎ行目の走査信号線ＧＣＬに対して走査信号Ｖｓｃａｎを印加し、走査信号Ｖｓｃａｎ（ｎ）が低レベルから高レベルに変化する。これにより、次の１表示水平期間１Ｈが開始する。
【００６１】
次のタッチ検出期間Ａにおいて、駆動電極ドライバ１４が、先ほどとは異なるｍ列目に対応する駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。なお、ｍ−１列目に対応する駆動電極ＣＯＭＬとｍ−目に対応する駆動電極ＣＯＭＬとは、同一の駆動電極ＣＯＭＬとなる場合もある。したがって、同じ領域におけるタッチ検出を行う場合もある。
【００６２】
次に、表示期間Ｂにおいて、ソースドライバ１３が、画素信号線ＳＧＬに対して画素信号Ｖｐｉｘを印加し、１水平ラインに対する表示を行う。なお、本実施形態のタッチ検出機能付き表示装置１はドット反転駆動を行うため、ソースドライバ１３が印加する画素信号Ｖｐｉｘは、前の１表示水平期間１Ｈのものと比べて、その極性が反転している。この表示期間Ｂが終了した後、この１表示水平期間１Ｈが終了する。
【００６３】
これ以降、上述した動作を繰り返すことにより、タッチ検出機能付き表示装置１は、表示面全面にわたる走査により表示動作を行うとともに、タッチ検出面全面にわたる走査によりタッチ検出動作を行う。また、タッチ検出機能付き表示装置１は、タッチ検出面全面にわたる走査をしたら、各駆動電極ＣＯＭＬの駆動時にタッチ検出電極で検出したタッチ検出信号に基づいて、タッチ位置を検出する。このとき、タッチ検出機能付き表示装置１は、タッチを検出した駆動電極ＣＯＭＬの駆動時のタッチ検出信号と、当該タッチを検出した駆動電極ＣＯＭＬに隣接した駆動電極ＣＯＭＬ駆動時のタッチ検出信号とを用いて、補完処理を行う。具体手的には、隣接した領域におけるタッチ検出信号の分布に基づいて、駆動電極ＣＯＭＬに対応する領域内における位置を算出する。
【００６４】
上述したように、タッチ検出機能付き表示装置１では、表示走査を行う方向とタッチ検出走査を行う方向とが異なるように動作する。このことは、ある１表示水平期間１Ｈにおいて、必ず、ある画素Ｐｉｘにおいて、表示動作とタッチ検出動作の両方が行われることを意味している。タッチ検出機能付き表示装置１では、１表示水平期間１Ｈにおいて、タッチ検出動作はタッチ検出期間Ａに行い、表示動作は表示期間Ｂに行うようにしている。このように、タッチ検出動作と表示動作とを別々の期間に行うようにしたので、同じ１表示水平期間１Ｈにおいて表示動作とタッチ検出動作の両方を行うことができるとともに、表示動作のタッチ検出に対する影響を抑えることができる。なお、タッチ検出機能付き表示装置１は、表示面全面の表示処理、つまり１フレーム分の画像の表示処理と、タッチ検出面全面のタッチ検出処理を交互に行うようにしてもよい。また、タッチ検出機能付き表示装置１は、１つの駆動電極ＣＯＭＬに対応する水平ラインの表示処理を実行した後、当該１つの駆動電極ＣＯＭＬに対応する領域のタッチ検出処理を行うようにしてもよい。
【００６５】
〔駆動電極層〕
次に、駆動電極層に含まれる複数の駆動電極ＣＯＭＬについて説明する。図１３は、実施形態１に係るタッチ検出機能付き表示装置の駆動電極層と画素との関係を示す平面図である。以下、配列方向に複数配置された駆動電極ＣＯＭＬの説明のため、駆動電極ＣＯＭＬを２０個配列した場合として説明する。また、駆動電極ＣＯＭＬの配列方向において、ＣＯＧ１９から遠い側の端部を上端５８、ＣＯＧ１９に近い側の端部を下端５９とする。また、複数配置された駆動電極ＣＯＭＬは、上端５８から下端５９側に向けて、順番に駆動電極Ｔｘ１、Ｔｘ２、・・・Ｔｘ１９、Ｔｘ２０とする。また、図１３に示す駆動電極ＣＯＭＬは、タッチ検出時にタッチを検出する駆動電極ＣＯＭＬにＴＳＶＣＯＭを印加し、その他の駆動電極ＣＯＭＬには、一定の電圧であるＶＣＯＭを印加する。
【００６６】
本実施形態のタッチ検出機能付き表示装置１は、上述したように駆動電極層に含まれる複数の駆動電極ＣＯＭＬが配列方向（１つの駆動電極ＣＯＭＬの短手方向）に列状に配置されている。駆動電極層は、図１３に示すように、端部に配置されている駆動電極ＣＯＭＬ（端部駆動電極）、つまり、上端５８に配置された駆動電極Ｔｘ１と下端５８に配置された駆動電極Ｔｘ２０とが、他の駆動電極、つまり駆動電極Ｔｘ１、Ｔｘ２０よりも配列方向の内側（中心側）に配置されている駆動電極Ｔｘ２〜Ｔｘ１９よりも、配列方向の幅（長さ）が長い。つまり、タッチ検出機能付き表示装置１は、駆動電極Ｔｘ１の配列方向の長さをｄ１とし、駆動電極Ｔｘ２の配列方向の長さをｄ２とし、同様に駆動電極Ｔｘ３〜Ｔｘ１９の配列方向の長さをｄ３〜ｄ１９とし、駆動電極Ｔｘ２０の配列方向の長さをｄ２０とした場合、長さｄ１とｄ２０が長さｄ２〜ｄ１９よりも長くなる。また、長さｄ１とｄ２０は同じ長さとなり、長さｄ２〜ｄ１９は、同じ長さとなる。つまり、タッチ検出機能付き表示装置１は、長さｄ１から長さｄ２０の関係が、ｄ１＝ｄ２０＞ｄ２＝ｄ３＝ｄ４＝・・・＝ｄ１９となる。また、駆動電極Ｔｘ１〜Ｔｘ２０は、画素Ｐｉｘの水平ラインに対応して配置されている。つまり、駆動電極Ｔｘ１〜Ｔｘ２０は、境界位置が副画素ＳＰｉｘ（または画素Ｐｉｘ）の水平ラインの境界と一致する。つまり、駆動電極Ｔｘ１〜Ｔｘ２０は、配列方向の幅が、水平ラインの幅の整数倍となり、１つの水平ラインには１つの駆動電極ＣＯＭＬ（駆動電極Ｔｘ１〜Ｔｘ２０のいずれか）が対応している。一例として、タッチ検出機能付き表示装置１は、１２８０本の水平ラインを有している場合、長さｄ１、ｄ２０を水平ライン８２本分の長さとし、長さｄ２〜ｄ１９を水平ライン６２本分の長さとする。なお、長さｄ１、ｄ２０と、長さｄ２〜１９との関係は、これに限定されない。また、駆動電極Ｔｘｂ１〜Ｔｘｂ２０は、ＶＣＯＭ及びＴＳＶＣＯＭが印加される配線との接続部が、表示面（有効画素領域）の端部よりも外側まで延びている。
【００６７】
図１４は、実施形態１に係るタッチ検出機能付き表示装置の配列方向の端に配置された駆動電極とタッチ検出電極との間の電気力線を模式的に示す図である。図１５は、実施形態１に係るタッチ検出機能付き表示装置の配列方向の中腹に配置された駆動電極とタッチ検出電極との間の電気力線を模式的に示す図である。つまり、図１４は、駆動電極Ｔｘ１、Ｔｘ２０とタッチ検出電極ＴＤＬの関係を模式的に示し、図１５は、駆動電極Ｔｘ２〜Ｔｘ１９とタッチ検出電極ＴＤＬの関係を模式的に示している。
【００６８】
タッチ検出機能付き表示装置１は、図１４及び図１５に示すように、端部つまり上端５８と下端５９のそれぞれに配置された駆動電極Ｔｘ１、Ｔｘ２０は、配列方向の長さが中ため、他の駆動電極Ｔｘ２〜Ｔｘ１９よりもフリンジ電界の量が多くなり、電気力線の数が多くなる。なお、図１４では、図１５に比べて、駆動電極ＣＯＭＬの延在方向の断面のフリンジ電界の量が大きくなっているように示しているが、駆動電極ＣＯＭＬの紙面奥行き方向の長さが長くすることで、フリンジ電界の量が多くなる。
【００６９】
次に、タッチ位置とタッチ検出信号との関係を説明する。図１６Ａは、実施形態１に係るタッチ検出機能付き表示装置のタッチ位置と駆動電極との相対位置を模式的に示す図である。図１６Ｂは、図１６Ａに示すタッチ検出機能付き表示装置のタッチ検出電極で検出したタッチ検出信号の一例を示す図である。
【００７０】
タッチ検出機能付き表示装置１は、図１６Ａに示すように、同じタッチ検出電極上の、上端５８に配置された駆動電極Ｔｘ１と重なる領域Ｔ１と、中腹に配置された駆動電極Ｔｘ５と重なる領域Ｔ２との２ヶ所にタッチが行われた場合、図１６Ｂに示すタッチ検出信号が検出される。具体的には、タッチ位置である領域Ｔ１と重なる駆動電極Ｔｘ１での検出タイミングと、タッチ位置である領域Ｔ２と重なる駆動電極Ｔｘ５での検出タイミングで高いレベルの信号が検出される。また、領域Ｔ１と重なる駆動電極Ｔｘ１に隣接した駆動電極Ｔｘ２での検出タイミングでも一定のレベルの信号が検出され、領域Ｔ２と重なる駆動電極Ｔｘ５に隣接した駆動電極Ｔｘ４、Ｔｘ６での検出タイミングでも一定のレベルの信号が検出される。また、タッチ検出機能付き表示装置１は、駆動電極Ｔｘ１の配列方向の長さを他の駆動電極Ｔｘ２〜Ｔｘ１９よりも長くしているため、駆動電極Ｔｘ１での検出タイミングで検出される信号が、駆動電極Ｔｘ５での検出タイミングで検出される信号よりも高いレベルの信号として検出される。
【００７１】
ここで、図１７Ａは、比較例に係るタッチ検出機能付き表示装置のタッチ位置と駆動電極との相対位置を模式的に示す図である。図１７Ｂは、図１７Ａに示すタッチ検出機能付き表示装置のタッチ検出電極で検出したタッチ検出信号の一例を示す図である。比較例である図１７Ａ及び図１７Ｂは、端部の駆動電極の配列方向の長さも他の駆動電極と同じ長さとした場合、つまり、端部の駆動電極の配列方向の長さを他の駆動電極の長さよりも長くしていない場合のタッチ位置とタッチ検出レベルを示している。比較例のタッチ検出機能付き表示装置８００は、タッチ検出機能付き表示装置１と同様に、複数の駆動電極８０１と複数のタッチ検出電極８０２とが配置されている。なお、タッチ検出機能付き表示装置８００は、駆動電極８０１の配列方向の幅以外は、タッチ検出機能付き表示装置１と同様の構成である。タッチ検出機能付き表示装置８００は、複数の駆動電極８０１を上端から下端に向けて順に駆動電極Ｔｘａ１、Ｔｘａ２、Ｔｘａ３、Ｔｘａ４、Ｔｘａ５・・・とする。
【００７２】
タッチ検出機能付き表示装置８００は、図１７Ａに示すように、同じタッチ検出電極上の、上端に配置された駆動電極Ｔｘａ１と重なる領域Ｔａ１と、中腹に駆動電極Ｔｘａ５と重なる領域Ｔａ２との２ヶ所にタッチが行われた場合、図１７Ｂに示すタッチ検出信号が検出される。具体的には、タッチ位置である領域Ｔａ１と重なる駆動電極Ｔｘａ１での検出タイミングと、タッチ位置である領域Ｔａ２と重なる駆動電極Ｔｘａ５での検出タイミングで高いレベルの信号が検出される。また、領域Ｔａ１と重なる駆動電極Ｔｘａ１に隣接した駆動電極Ｔｘａ２での検出タイミングでも一定のレベルの信号が検出され、領域Ｔ２と重なる駆動電極Ｔｘａ５に隣接した駆動電極Ｔｘａ４、Ｔｘａ６での検出タイミングでも一定のレベルの信号が検出される。また、タッチ検出機能付き表示装置８００は、駆動電極Ｔｘａ１の配列方向の長さと他の駆動電極Ｔｘａ２〜Ｔｘａ１９が同じであるため、駆動電極Ｔｘ１での検出タイミングで検出される信号と、駆動電極Ｔｘ５での検出タイミングで検出される信号とが略同じレベルの信号として検出される。
【００７３】
以上より、タッチ検出機能付き表示装置１は、端部（上端５８、下端５９）の駆動電極Ｔｘ１，Ｔｘ２０の配列方向の長さを長くすることで、端部（上端５８、下端５９）の駆動電極Ｔｘ１，Ｔｘ２０に対応する領域にタッチが行われた場合、検出するタッチ検出信号を他の駆動電極Ｔｘ２〜Ｔｘ１９で検出するタッチ検出信号よりも高いレベルの信号として検出することができる。
【００７４】
ここで、タッチ検出機能付き表示装置１は、上述したように、隣接する駆動電極ＣＯＭＬの複数の検出タイミングでのタッチ検出信号、つまり配列方向に隣接する領域における複数のタッチ検出信号を用いて補間処理を行うことで、駆動電極ＣＯＭＬが配置されている領域内におけるタッチ位置をより詳細な精度で検出する。この際、領域Ｔ２、Ｔａ２のように、配列方向の中腹に配置された駆動電極に対応する領域にタッチが行われた場合、配列方向の両方に隣接した駆動電極に対応する領域のタッチ検出信号を用いて、補間処理を行う。タッチ検出機能付き表示装置１は、補間処理を行うことで、配列方向のタッチ位置をより詳細な精度で特定することができる。
【００７５】
また、タッチ検出機能付き表示装置１は、端部（上端５８、下端５９）におけるタッチ検出信号を他の位置よりもより大きいレベルで検出することで、配列方向の一方に隣接する駆動電極ＣＯＭＬがない端部の駆動電極ＣＯＭＬに対応する領域での位置の補間の精度を高くすることができる。つまり、タッチ検出機能付き表示装置１は、端部におけるタッチ検出信号を他の位置よりもより大きいレベルで検出できることで、検出位置の変化による検出レベルの変化をより詳細に検出することができる。これにより、端部でより精度の高いタッチ検出信号を得ることでできるため、補間する信号が配列方向の一方の側のタッチ検出信号のみとしても、補間処理を高い精度で実行することができ、配列方向のタッチ位置を詳細な精度で特定することができる。タッチ検出機能付き表示装置１は、端部（上端５８、下端５９）における位置の精度を高くでき、中腹の領域との間での検出精度の変動を抑制できる。これにより、全体的なタッチ検出機能をより高くすることができる。
【００７６】
タッチ検出機能付き表示装置１は、本実施形態のように、駆動電極ＣＯＭＬの配列方向の長さを、１水平ライン、つまり画素Ｐｉｘの配列方向の長さの整数倍とすることが好ましい。さらに、タッチ検出機能付き表示装置１は、１つの水平ラインに１つの駆動電極が対向して配置されていることが好ましい。つまり、タッチ検出機能付き表示装置１は、配列方向における駆動電極と駆動電極との境界が、水平ラインと水平ラインとの境界と重なるように配置することが好ましい。これにより、駆動電極ＣＯＭＬを表示面に画像を表示する駆動電極として用いる場合の制御を簡単にすることができる。
【００７７】
また、タッチ検出機能付き表示装置１は、端部の駆動電極と、他の駆動電極との配列方向の長さの差分を、１水平ライン、つまり画素Ｐｉｘの配列方向の長さの偶数倍とすることが好ましい。これにより、駆動電極の左右方向（配列方向に直交する方向）の両端にそれぞれ回路を配置する構成とした場合でも、左右に同様の構成の回路を配置することができ、設計、製造及び制御を簡単にすることができる。
【００７８】
また、タッチ検出機能付き表示装置１は、駆動電極層が、配列方向の中央を軸として、対称形状であることが好ましい。これにより、設計、製造及び制御を簡単にすることができる。また、配列方向の両端の駆動電極を上述したように、他の駆動電極より幅の広い構造とすることで、上記効果をより適切に得ることができる。
【００７９】
なお、本実施形態のタッチ検出機能付き表示装置１は、駆動電極ＣＯＭＬを１つの板状の透明電極としたが、これに限定されない。タッチ検出機能付き表示装置１は、１つの駆動電極ＣＯＭＬを複数に分割してもよい。例えば、タッチ検出機能付き表示装置１は、１つの駆動電極ＣＯＭＬを１水平ライン毎に分割された複数の単位駆動電極としてもよい。この場合も、タッチ検出機能付き表示装置１は、タッチ検出時に、１つの駆動電極ＣＯＭＬに含まれる複数の単位駆動電極を同時に駆動する。
【００８０】
＜１−２．実施形態２＞
次に、図１８を用いて、本開示の実施形態２に係るタッチ検出機能付き表示装置の説明をする。図１８は、実施形態２に係るタッチ検出機能付き表示装置の駆動電極層と画素との関係を示す平面図である。なお、実施形態２のタッチ検出機能付き表示装置６０は、基本的に駆動電極層以外は、実施形態１のタッチ検出機能付き表示装置１と同様の構成である。以下、実施形態２のタッチ検出機能付き表示装置６０に特有の点を重点的に説明する。
【００８１】
実施形態１のタッチ検出機能付き表示装置１は、表示面とタッチ検出面の大きさを同一とした状態で配列方向の端部にそれぞれ配置された駆動電極Ｔｘ１、Ｔｘ２０の配列方向における幅を、他の駆動電極Ｔｘ２〜Ｔｘ１９よりも大きくしたがこれに限定されない。これに対して、実施形態２に係るタッチ検出機能付き表示装置６０は、液晶表示デバイス２０の表示面である有効画素領域、つまり画素Ｐｉｘが配置されている領域よりも広い領域に駆動電極層を設けている。以下、実施形態２においても、配列方向に複数配置された駆動電極ＣＯＭＬの説明のため、駆動電極ＣＯＭＬを２０個配列した場合として説明する。また、駆動電極ＣＯＭＬの配列方向において、ＣＯＧ１９から遠い側の端部を上端６１、ＣＯＧ１９に近い側の端部を下端６２とする。また、複数配置された駆動電極ＣＯＭＬは、上端６１から下端６２側に向けて、順番に駆動電極Ｔｘｂ１、Ｔｘｂ２、・・・Ｔｘｂ１９、Ｔｘｂ２０とする。
【００８２】
タッチ検出機能付き表示装置６０は、配列方向において、端部に配置されている駆動電極ＣＯＭＬ（端部駆動電極）、つまり、上端６１に配置された駆動電極Ｔｘｂ１と下端６２に配置された駆動電極Ｔｘｂ２０とが、他の駆動電極、つまり駆動電極Ｔｘｂ２〜Ｔｘｂ１９よりも、配列方向の幅（長さ）が長い。つまり、タッチ検出機能付き表示装置６０は、駆動電極Ｔｘｂ１の配列方向の長さをｄａ１とし、駆動電極Ｔｘｂ２の配列方向の長さをｄａ２とし、同様に駆動電極Ｔｘｂ３〜Ｔｘｂ１９の配列方向の長さをｄａ３〜ｄａ１９とし、駆動電極Ｔｘｂ２０の配列方向の長さをｄａ２０とした場合、長さｄａ１とｄａ２０が長さｄａ２〜ｄａ１９よりも長くなる。また、長さｄａ１とｄａ２０は同じ長さとなり、長さｄａ２〜ｄａ１９は、同じ長さとなる。つまり、タッチ検出機能付き表示装置６０は、長さｄａ１から長さｄａ２０の関係が、ｄａ１＝ｄａ２０＞ｄａ２＝ｄａ３＝ｄａ４＝・・・＝ｄａ１９となる。また、駆動電極Ｔｘｂ１〜Ｔｘｂ２０は、ＶＣＯＭ及びＴＳＶＣＯＭが印加される配線との接続部が、表示面（有効画素領域）の端部よりも外側まで延びている。
【００８３】
ここで、駆動電極Ｔｘｂ１は、上端６１側の端部が表示面（有効画素領域）の上側の端部である表示面上端６７よりも上側まで延在している。つまり、駆動電極Ｔｘｂ１は、上端６１側に画素Ｐｉｘが配置されていない領域がある。また、駆動電極Ｔｘｂ１は、上端６１側に画素Ｐｉｘが配置されていない領域６５にＴＳＶＣＯＭを印加する配線と接続した金属配線６６が配置され、領域６５と金属配線６６が重なる一部のコンタクト部６６ａで電気的に接続されている。駆動電極ＴＸｂ２０は、下端６２側の端部が表示面（有効画素領域）の下側の端部である表示面下端６８よりも下側まで延在している。つまり、駆動電極Ｔｘｂ２０は、下端６２側に画素Ｐｉｘが配置されていない領域がある。
【００８４】
駆動電極Ｔｘｂ１〜ＴＸｂ２０も、画素Ｐｉｘの水平ラインに対応して配置されている。駆動電極Ｔｘｂ１〜ＴＸｂ２０は、境界位置が画素Ｐｉｘの水平ラインの境界と一致する。つまり、駆動電極Ｔｘｂ１〜Ｔｘｂ２０は、配列方向の幅が、水平ラインの幅の整数倍となり、１つの水平ラインには１つの駆動電極ＣＯＭＬ（駆動電極Ｔｘｂ１〜Ｔｘｂ２０のいずれか）が対応している。また、駆動電極Ｔｘｂ１〜Ｔｘｂ２０は、それぞれ同じ本数の水平ラインに対応している。一例として、タッチ検出機能付き表示装置１は、１２８０本の水平ライがを有している場合、長さｄａ１、ｄａ２０を水平ライン８０本分の長さとし、長さｄ２〜ｄ１９を水平ライン６４本分の長さとする。このとき、駆動電極Ｔｘｂ１、Ｔｘｂ２０は、６４本分の水平ラインと対面し、残り１６本分の領域が、配列方向に画素Ｐｉｘが配置されていない領域となる。つまり、駆動電極Ｔｘｂ１、Ｔｘｂ２０は、長さｄｂの部分が水平ラインと対面し、当該領域よりも配列方向の端側の領域が画素Ｐｉｘの配置されていない領域となる。なお、長さｄａ１、ｄａ２０と、長さｄａ２〜ｄａ１９との関係は、これに限定されない。
【００８５】
タッチ検出機能付き表示装置６０は、端部の駆動電極Ｔｘｂ１、Ｔｘｂ２０を配列方向において、表示面よりも外側まで延在させて、駆動電極Ｔｘｂ１、Ｔｘｂ２０の配列方向の長さを他の駆動電極Ｔｘｂ２〜Ｔｘｂ１９よりも長くしている。このように端部の駆動電極Ｔｘｂ１、Ｔｘｂ２０を表示面よりも外側まで延在させて、端部の駆動電極の幅を広くすることでも実施形態１と同様の端部におけるタッチの検出精度を高くすることができる。
【００８６】
また、タッチ検出機能付き表示装置６０は、上端の駆動電極Ｔｘｂ１の領域６５に金属配線６６とのコンタクト６６ａを設けることで、ＣＯＧ１９から最も遠い駆動電極Ｔｘｂ１に対する電圧の印加時の時定数を小さくすることができ、上端の駆動電極Ｔｘｂ１の応答性を高くすることができる。これにより、電圧印加開始からタッチ信号の検出が可能になるまでの時間をより短くすることができ、タッチ検出に係る時間を短くすることができる。
【００８７】
ここで、本実施形態タッチ検出機能付き表示装置６０のように、端部の駆動電極を表示面よりも外側の領域まで延在させる場合、表示面よりも外側にある部分の長さは、水平ラインの長さの整数倍でなくてもよい。
【００８８】
以上、本開示を適用した各種装置の実施形態を説明したが、本開示は各実施形態に限定されることはなく、前記各実施形態以外に種々の変更が可能である。
【００８９】
例えば、上述の各実施形態では、駆動電極ＣＯＭＬを１つずつ順番に駆動することで、配列方向に走査をしたが、つまり、ＴＳＶＣＯＭは１つの駆動電極ＣＯＭＬのみに印加したが、これに限定されない。タッチ検出機能付き表示装置は、複数の駆動電極ＣＯＭＬに同時にＴＳＶＣＯＭを印加してもよい。この場合、ＴＳＶＣＯＭを印加する駆動電極ＣＯＭＬを１つずつずらし差分を算出することで、１つの駆動電極ＣＯＭＬに対応する領域におけるタッチ検出信号を検出することができる。
【００９０】
また、このタッチ検出機能付き表示デバイス１０は、ＦＦＳ、ＩＰＳ等の各種モードの液晶を用いた液晶表示デバイス２０とタッチ検出デバイス３０とを一体化してタッチ検出機能付き表示デバイス１０とすることができる。
【００９１】
これに代えて、タッチ検出機能付き表示デバイス１０は、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶とタッチ検出デバイスとを一体化してもよい。また、タッチ検出機能付き表示デバイス１０は、横電界モードの液晶を用いてもよい。
【００９２】
また、各実施形態の説明では、薄型化できるため、タッチ検出機能付き表示装置は、液晶表示デバイス２０と静電容量型のタッチ検出デバイス３０とを一体化したいわゆるインセルタイプであることとしたが、これに代えて、例えば液晶表示デバイスに静電容量型のタッチ検出デバイスを装着したものであってもよい。また、本実施形態では、タッチ検出機能付き表示装置として説明したが、液晶表示デバイス（表示装置）を備えないタッチ検出装置として用いてもよい。
【００９３】
＜２．適用例＞
次に、図１９〜図２５を参照して、実施形態及び変形例で説明したタッチ検出機能付き表示装置１、６０の適用例について説明する。図１９〜図２５は、本実施形態に係るタッチ検出機能付き表示装置１、６０を適用する電子機器の一例を示す図である。実施形態１、２に係るタッチ検出機能付き表示装置１、６０は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態１、２に係るタッチ検出機能付き表示装置１、６０は、外部から入力された映像信号あるいは内部で生成した映像信号を、画像あるいは映像として表示するあらゆる分野の電子機器に適用することが可能である。
【００９４】
（適用例１）
図１９に示す電子機器は、実施形態１、２に係るタッチ検出機能付き表示装置１、６０が適用されるテレビジョン装置である。このテレビジョン装置は、例えば、フロントパネル５１１及びフィルターガラス５１２を含む映像表示画面部５１０を有しており、この映像表示画面部５１０は、実施形態１、２に係るタッチ検出機能付き表示装置である。
【００９５】
（適用例２）
図２０及び図２１に示す電子機器は、実施形態１、２に係るタッチ検出機能付き表示装置１、６０が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１、２に係るタッチ検出機能付き表示装置１、６０である。
【００９６】
（適用例３）
図２２に示す電子機器は、実施形態１、２に係るタッチ検出機能付き表示装置１、６０が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１、２に係るタッチ検出機能付き表示装置１、６０である。
【００９７】
（適用例４）
図２３に示す電子機器は、実施形態１、２に係るタッチ検出機能付き表示装置１、６０が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１、２に係るタッチ検出機能付き表示装置１、６０である。
【００９８】
（適用例５）
図２４に示す電子機器は、実施形態１、２に係るタッチ検出機能付き表示装置１、６０が適用される携帯電話機である。この携帯電話機は、例えば、上側筐体５５１と下側筐体５５２とを連結部（ヒンジ部）５５３で連結したものであり、ディスプレイ５５４を有している。そのディスプレイ５５４は、実施形態１、２に係るタッチ検出機能付き表示装置１、６０である。
【００９９】
（適用例６）
図２５に示す電子機器は、実施形態１、２に係るタッチ検出機能付き表示装置１、６０が適用される、いわゆるスマートフォンと呼ばれる携帯電話機である。この携帯電話機は、例えば略長方形の薄板状の筐体６０１の表面部にタッチパネル６０２を有している。このタッチパネル６０２は、実施形態１、２に係るタッチ検出機能付き表示装置１、６０である。
【０１００】
＜３．本開示の構成＞
また、本開示は、以下の構成を採ることもできる。
【０１０１】
（１）ストライプ状の複数の駆動電極が配列方向に並んで配置された駆動電極層と、
前記駆動電極と対向して配置され、前記駆動電極との間に静電容量を形成するタッチ検出電極と、
前記駆動電極にタッチ用駆動信号を印加し、前記タッチ検出電極からの検出信号に基づき、前記駆動電極及び前記タッチ検出電極を備えるタッチ検出領域に近接する物体の位置を検出するタッチ検出部と、を備え、
前記駆動電極層は、前記配列方向の少なくとも一方の端に配置された端部駆動電極の前記配列方向の幅が、前記端部駆動電極以外の駆動電極の前記配列方向の幅よりも大きいタッチ検出装置。
（２）前記駆動電極層は、前記配列方向の中心を軸として、複数の駆動電極が対称となる（１）に記載のタッチ検出装置。
（３）（１）または（２）に記載のタッチ検出装置と、
前記タッチ検出装置に積層して配置された表示装置と、を有するタッチ検出機能付き表示装置。
（４）前記表示装置は、前記タッチ検出装置の前記駆動電極層に対向して、基板上に配置された複数の画素電極と、
前記画素電極に積層され、画像を表示する画像表示機能を有する表示機能層と、
画像信号に基づいて、前記画素電極と前記駆動電極との間に表示用駆動電圧を印加して前記表示機能層の画像表示機能を発揮させるように画像表示制御を行う制御部と、を有する（３）に記載のタッチ検出機能付き表示装置。
（５）前記駆動電極層は、前記配列方向において、前記端部駆動電極が、前記端部駆動電極以外の駆動電極よりも前記表示領域の画素電極の配置間隔である画素ピッチの整数倍分大きい（３）または（４）に記載のタッチ検出機能付き表示装置。
（６）前記端部駆動電極は、前記配列方向において、一部が前記表示領域よりも外側に配置されている（３）から（５）のいずれか一つに記載のタッチ検出機能付き表示装置。
（７）（６）に記載のタッチ検出器能付き表示装置を備える電子機器。
【符号の説明】
【０１０２】
１、６０  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
３０  タッチ検出デバイス
３１  ガラス基板
３２  カラーフィルタ
３５  偏光板
４０  タッチ検出部
４２  アナログＬＰＦ部
４３  Ａ／Ｄ変換部
４４  信号処理部
４５  座標抽出部
４６  検出タイミング制御部
５８、６１  上端部
５９、６２  下端部
６５  領域
６６  金属配線
６７  表示面上端
６８  表示面下端
ＣＯＭＬ  駆動電極
ＧＣＬ  走査信号線
ＬＣ  液晶素子
Ａ  タッチ検出期間
Ｂ  表示期間
Ｐｉｘ  画素
Ｒ  抵抗
ＳＧＬ  画素信号線
ＴＤＬ  タッチ検出電極
Ｔｒ  ＴＦＴ素子
Ｖｃｏｍ  駆動信号
Ｖｄｅｔ  タッチ検出信号
Ｖｄｉｓｐ  映像信号
Ｖｐｉｘ  画素信号
Ｖｓｃａｎ  走査信号
【図１】
2014134982.tif 000003
【図２】
2014134982.tif 000004
【図３】
2014134982.tif 000005
【図４】
2014134982.tif 000006
【図５】
2014134982.tif 000007
【図６】
2014134982.tif 000008
【図７】
2014134982.tif 000009
【図８】
2014134982.tif 000010
【図９】
2014134982.tif 000011
【図１０】
2014134982.tif 000012
【図１１】
2014134982.tif 000013
【図１２】
2014134982.tif 000014
【図１３】
2014134982.tif 000015
【図１４】
2014134982.tif 000016
【図１５】
2014134982.tif 000017
【図１６Ａ】
2014134982.tif 000018
【図１６Ｂ】
2014134982.tif 000019
【図１７Ａ】
2014134982.tif 000020
【図１７Ｂ】
2014134982.tif 000021
【図１８】
2014134982.tif 000022
【図１９】
2014134982.tif 000023
【図２０】
2014134982.tif 000024
【図２１】
2014134982.tif 000025
【図２２】
2014134982.tif 000026
【図２３】
2014134982.tif 000027
【図２４】
2014134982.tif 000028
【図２５】
2014134982.tif 000029